(57)【特許請求の範囲】
【請求項１】
撮影手段を搭載した保守用端末と、
乗りかごの運転を制御するエレベータ制御部、エレベータ利用者へ予め設定された情報を表示する表示部及び予め設定された条件が成立したときに前記エレベータ制御部に保守運転を実行させる、前記保守用端末と無線通信手段を介して通信可能に接続された保守機能実行部を含むエレベータと、
を備えたエレベータシステムであって、
前記保守機能実行部は、当該保守機能実行部で生成された認証コードを予め設定された表示情報に変換して前記表示部に表示させ、前記撮影手段によって撮影された、前記表示部に表示された表示情報が示す認証用コードを、前記無線通信手段を介して受信し、受信した認証用コードと前記生成された認証コードとの異同を判定し、同一であるとき保守運転を可能とするエレベータシステム。
【請求項２】
請求項１に記載のエレベータシステムであって、
前記保守用端末は、前記撮影手段によって撮影された前記表示情報を前記認証用コードに変換する認証用コード変換部を備え、
前記保守機能実行部は、
前記表示部に表示させるための認証コードを生成する認証コード生成部と、
前記認証コード生成部で生成された認証コードを予め設定された形式の表示情報に変換する認証コード変換部と、
前記認証コード変換部で変換された前記表示情報を前記表示部に表示させる表示指令部と、
前記保守用端末から受信し、前記撮影手段によって撮影された前記表示情報から前記認証用コード変換部によって変換された認証用コードと、前記認証コードとを比較して両者の異同を判定する認証コード比較判定部と、
前記認証コード比較判定部で前記認証用コードと前記認証コードが同一であると判定されたとき前記保守運転の実行を可能とし、異なると判定されたとき前記保守運転の実行を不可とする機能実行可否判定部と、
を備えたエレベータシステム。
【請求項３】
請求項２に記載のエレベータシステムであって、
前記保守機能実行部と広域ネットワークを介して通信可能に接続されたセンタ装置をさらに備え、
前記センタ装置は、保守に関する作業スケジュール情報を記憶する記憶部、及び前記作業スケジュール情報を前記保守機能実行部に送信させるスケジュール送信指令部を含み、
前記保守機能実行部は、前記認証コード比較判定部で前記認証用コードと前記認証コードが一致したと判定したとき、前記センタ装置に前記作業スケジュール情報を取得するためのスケジュール取得要求指令を出力するスケジュール取得要求指令部をさらに含むエレベータシステム。
【請求項４】
請求項３に記載のエレベータシステムであって、
前記センタ装置は、前記スケジュール取得要求指令を受信したとき、前記保守機能実行部に前記作業スケジュール情報を送信し、
前記機能実行可否判定部は受信した前記作業スケジュール情報に基づいて当日の作業スケジュール情報に保守点検が予定されているか否かを判定し、予定されている場合、保守運転の実行を許可し、予定されていない場合、保守運転の実行を不許可にするエレベータシステム。
【請求項５】
撮影手段を搭載した保守用端末と、
乗りかごの運転を制御するエレベータ制御部、エレベータ利用者へ予め設定された情報を表示する表示部及び予め設定された条件が成立したときに前記エレベータ制御部に保守運転を実行させる、前記保守用端末と無線通信手段を介して通信可能に接続された保守機能実行部を含むエレベータと、
を備えたエレベータシステムにおけるエレベータの保守運転方法であって、
前記保守用端末からエレベータ制御開始指令要求指令を前記保守機能実行部に送信し、
前記保守機能実行部は、前記エレベータ制御開始指令要求指令を受信したとき、認証コードを生成し、当該生成された認証コードを予め設定された表示情報に変換して前記表示部に表示させ、
前記保守用端末の前記撮影手段によって前記表示部に表示された表示情報を撮影し、
当該保守用端末で当該撮影した表示情報を認証用コードに変換し、
前記変換された認証用コードを前記保守機能実行部に送信し、
当該保守機能実行部で前記生成された認証コードと前記認証用コードとを比較し、
両者が一致したとき、前記エレベータ制御部に前記エレベータの保守運転を可能とするエレベータの保守運転方法。
【請求項６】
請求項５に記載のエレベータの保守運転方法であって、
前記エレベータシステムは保守に関する作業スケジュール情報を記憶部に記憶したセンタ装置をさらに備え、
前記保守運転が可能となったとき、前記保守機能実行部から前記センタ装置にスケジュール取得要求指令を送信し、
前記スケジュール取得要求指令を受信した前記センタ装置は、前記記憶した作業スケジュール情報を前記保守機能実行部に送信し、
前記保守機能実行部で前記受信した作業スケジュール情報に当日の保守点検の予定がある場合、前記保守運転を許可し、予定がない場合、不許可にするエレベータの保守運転方法。
【発明の詳細な説明】
【技術分野】
【０００１】
本発明は、エレベータシステム及びエレベータの保守運転方法に係り、さらに詳しくは、保守用端末から無線で送信される開始要求に基づいて保守運転を行うエレベータシステム、及び当該エレベータシステムにおけるエレベータの保守運転方法に関する。
【背景技術】
【０００２】
エレベータの保守運転に関する技術として、例えば、特開昭６２−１１１８８３号公報（特許文献１）に開示されたエレベータの保守運転装置が公知である。この技術は、機械室に設けられた制御装置によって昇降路内を昇降制御される乗りかごと、この乗りかご内及び乗りかご上に設けられ、乗りかごの昇降動作を行う運転制御盤と、制御装置に一端が接続され、他端が昇降路の底部に導かれる伝送線と、この伝送線の他端に着脱自在な可搬式の操作器と、この操作器が前記他端に接続されると前記運転制御盤の操作を阻止する阻止回路とを有することを特徴としている。
【０００３】
前記特許文献１記載の保守運転装置では、昇降路の底部に入った一人の保守員によって、伝送線の他端に接続した操作器を操作することにより、エレベータの乗かごの運転操作を行いながら、昇降路の底部の装置や機器の点検を行うことができ、しかも、この点検作業中は阻止回路によりエレベータの乗かご内及び乗かご上の運転操作盤の操作が阻止され、保守員は安全に点検作業を行うことができるようになっている。すなわち、前記特許文献１記載の技術では、昇降路の底部における点検作業中は、エレベータの乗かご内及び乗かご上の操作盤からの運転操作を阻止若しくは不可とすることができる。
【先行技術文献】
【特許文献】
【０００４】
【特許文献１】特開昭６２−１１１８８３号公報
【発明の概要】
【発明が解決しようとする課題】
【０００５】
しかしながら、昨今のデータ通信は、無線通信が主流となっており、エレベータの保守員が所有する保守用端末とエレベータとの間でのデータ通信にも無線通信が適用されつつある。前記特許文献１に記載の技術は、着脱自在な可搬式の操作器（端末）が伝送線の他端に接続されると、エレベータの乗かご内、及び乗かご上の運転操作盤の操作が阻止されるようになっている。したがって、伝送線を無線通信に代替した場合、操作器は無線通信の電波が届く範囲であれば、エレベータの乗かご内あるいは乗かご上であっても保守運転が可能となる。そのため、保守員の作業場所、例えば、昇降路の底部、かご上、かご内、あるいはエレベータホール等を特定することができない。その結果、阻止すべき運転操作盤が定まらず、保守員の安全性の確保に対して十分に配慮しているとは言い難かった。
【０００６】
そこで、本発明が解決しようとする課題は、エレベータの保守運転に無線通信の端末を使用したときの保守員の安全性を確保することにある。
【課題を解決するための手段】
【０００７】
上記課題を解決するために、本発明は、撮影手段を搭載した保守用端末と、乗りかごの運転を制御するエレベータ制御部、エレベータ利用者へ予め設定された情報を表示する表示部及び予め設定された条件が成立したときに前記エレベータ制御部に保守運転を実行させる、前記保守用端末と無線通信手段を介して通信可能に接続された保守機能実行部を含むエレベータと、を備えたエレベータシステムであって、前記保守機能実行部は、当該保守機能実行部３で生成された認証コードを予め設定された表示情報に変換して前記表示部に表示させ、前記撮影手段によって撮影された、前記表示部に表示された表示情報が示す認証用コードを、前記無線通信手段を介して受信し、受信した認証用コードと前記生成された認証コードとの異同を判定し、同一であるとき保守運転を可能とすることを特徴とする。
【発明の効果】
【０００８】
本発明によれば、エレベータの保守運転に無線通信の端末を使用したときの保守員の安全性を確保することができる。なお、前記以外の課題、構成及び効果は、以下の実施形態の説明により明らかにされる。
【図面の簡単な説明】
【０００９】
【図１】本発明の実施形態に係るエレベータシステムの概略構成を示すブロック図である。
【図２】エレベータホールの表示部を示す図である。
【図３】図１に示すエレベータシステムの保守機能実行部及び保守用端末によるエレベータの運転制御手順を示すフローチャートである。
【図４】図３のフローチャートに組み込まれ、センタ装置から当日のスケジュールを取得したときの保守機能実行部の制御手順を示すブローチャートである。
【発明を実施するための形態】
【００１０】
以下、図面を参照し、本発明の実施形態について説明する。
【００１１】
図１は、本発明の実施形態に係るエレベータシステムの概略構成を示すブロック図である。本実施形態に係るエレベータシステム１００は、エレベータ１、保守用端末２０及びセンタ装置３０から基本的に構成されている。エレベータ１は、さらにエレベータ１の乗りかごの運転を制御するエレベータ制御部２、保守機能実行部３及び乗客へ前記乗りかごの運転階と運転方向（上昇／下降）などの情報をエレベータフロアで表示する表示部４を含む。
【００１２】
保守機能実行部３は、制御部３ａ、送受信部３ｂ、記憶部３ｃ、通信指令部３ｄ、認証コード生成部３ｅ、認証コード変換部３ｆ、表示指令部３ｇ、認証コード比較判定部３ｈ、エレベータ制御指令部３ｉ、スケジュール取得要求指令部３ｊ及び機能実行可否判定部３ｋを備えている。
【００１３】
制御部３ａはエレベータ制御部２に接続され、送受信部３ｂ、記憶部３ｃ、通信指令部３ｄ、認証コード生成部３ｅ、認証コード変換部３ｆ、表示指令部３ｇ、認証コード比較判定部３ｈ、エレベータ制御指令部３ｉ、スケジュール取得要求指令部３ｊ及び機能実行可否判定部３ｋの動作を制御する。この制御部３ａは、ＣＰＵ（中央処理装置）を備えている。当該ＣＰＵは、制御部と演算部を含み、制御部が命令の解釈とプログラムの制御の流れを制御し、演算部が演算を実行する。また、プログラムは図示しないメモリに格納され、実行すべき命令（ある数値または数値の並び）を前記プログラムの置かれたメモリから取り出し、前記プログラムを実行し、前記各部の動作を制御する。
【００１４】
保守機能実行部３に設けられた送受信部３ｂは、保守用端末２０の送受信部２０ａとの間で無線通信２１によってデータ信号の送受信を行う。保守用端末２０は、例えば可搬型のコンピュータ、あるいはコンピュータの機能を備えた可搬型の情報処理装置若しくは情報処理端末であればよく、撮影機能を備えていることが必須である。記憶部３ｃはデータを保存するメモリ、例えばＨＤＤ（ハードディスク装置）であり、当該メモリの予め設定された格納領域に、本実施形態における保守運転に使用されるデータが書き込み及び読み出し可能に格納される。
【００１５】
通信指令部３ｄは、保守用端末２０からの指令信号を送受信部３ｂが受信したとき、この指令に対する受信応答及びエラー応答を、制御部３ａ及び送受信部３ｂを介して保守用端末２０に対して行う。エラー応答は送られてきたデータに何らかのエラーがあり、データを使用できない場合に行われる。認証コード生成部３ｅは、保守用端末２０からのエレベータ制御開始要求指令を送受信部３ｂが受信した際、乱数を生成し、記憶部３ｃに格納する。この乱数は生成の度に採番され、重複することのないように十分な桁数（例えば１０桁など）で生成される。エレベータ制御開始要求指令とは、保守用端末２０から発行されるエレベータに対する保守運転要求である。指令には複数ある保守運転のうち、どの保守運転を実行させるのかを定義する情報が付与されている。
【００１６】
認証コード変換部３ｆは、認証コード生成部３ｅが生成した乱数を２次元バーコード等のコード化された表示情報（画像表示情報）に変換する。表示指令部３ｇは、認証コード変換部３ｆがコード化した表示情報を、表示指令と共に接続する表示部４に対して送信する。表示部４は、この表示指令に基づいて受信した表示情報を表示する。
【００１７】
認証コード比較判定部３ｈは、保守用端末２０から送信されてくる認証用コード送信指令を送受信部３ｂが受信した際、この指令に付与される認証用コードと記憶部３ｃに格納された乱数を比較し、２つの値の一致、不一致を判定する。なお、表示情報として、２次元バーコードの他に、例えば数字の羅列、あるいはマトリクス表示等の公知の表示形態を用いることもできる。
【００１８】
エレベータ制御指令部３ｉは、認証コード比較判定部３ｈによる判定の結果、２つの乱数の値が一致したと判定されたとき、制御部３ａを介して、エレベータ制御部２に対して先に受信したエレベータ制御開始要求指令に付与されるエレベータ制御信号を送信する。ここで、エレベータ制御指令部３ｉは、機能実行可否判定部３ｋの判定結果を確認する。この判定結果は、全ての保守運転を「許可する」あるいは「許可しない」、のいずれかであり、許可する場合はエレベータ制御部２に対してエレベータ制御信号を送信し、許可しない場合はエレベータ制御部２に対するエレベータ制御信号を送信しない。
【００１９】
スケジュール取得要求指令部３ｊはセンタ装置３０の送受信部３０ａとインターネットなどの広域ネットワーク４０で接続され、センタ装置３０の送受信部３０ａに対して保守運転のスケジュール取得要求指令を行う。
【００２０】
センタ装置３０は送受信部３０ａ、スケジュール送信指令部３０ｂ及び記憶部３０ｃを備え、エレベータ１の設置個所とは離れた場所に位置している。センタ装置３０は、エレベータ１を点検する保守員の保守スケジュールを計画する図示しない別のシステム、及びエレベータ１の情報群を管理する図示しない別のサーバと連携しており、エレベータ１の契約情報、点検の巡回スケジュール、部品交換情報など、管理するエレベータ１に関して必要とされるあらゆる情報を記憶部３０ｃに記憶している。なお、前記スケジュール取得要求指令部３ｊから発行されるスケジュール取得要求指令とは、センタ装置３０の記憶部３０ｃに予め格納されるエレベータ１の保守に関するスケジュール情報の取得要求であり、エレベータ１の保守作業がスケジュールされているか否かを確認するために行われる。このスケジュール情報には、エレベータを特定するための情報、例えば製造番号などが付与される。また、記憶部３０ｃとしてはＨＤＤ（ハードディスク装置）等が使用される。
【００２１】
スケジュール送信指令部３０ｂは、送受信部３０ａがスケジュール取得要求指令を受信した際、記憶部３０ｃからエレベータ１のスケジュールを抽出し、送受信部３０ａを介して、保守機能実行部３のスケジュール取得要求指令部３ｊに送信する。これを受信したスケジュール取得要求指令部３ｊは、スケジュールを記憶部３ｃに格納する。
【００２２】
機能実行可否判定部３ｋは、エレベータ１のスケジュールを記憶部３ｃから取得し、当日が点検予定日として計画されているかを判定する。当日が点検予定日として計画されている場合、エレベータ制御部２に対する保守運転を許可するように判定し、当日が点検予定日として計画されていない場合、エレベータ制御部２に対する保守運転を許可しないように判定する。
【００２３】
保守用端末２０は、送受信部２０ａ、制御部２０ｂ、操作部２０ｃ、エレベータ制御開始要求指令部２０ｄ、カメラ２０ｅ、認証用コード変換部２０ｆ及び認証用コード送信指令部２０ｇを備え、ＣＰＵ（中央処理装置）、メモリ、入出力回路等を備えたコンピュータ装置から構成されている。この保守用端末２０は、エレベータ１の点検を行う保守員が所持し、保守現場に携行する可搬型の装置である。なお、コンピュータ装置の制御部２０ｂに備えられたＣＰＵは、制御部と演算部を含み、制御部が命令の解釈とプログラムの制御の流れを制御し、演算部が演算を実行する。また、プログラムは図示しないメモリに格納され、実行すべき命令（ある数値または数値の並び）を前記プログラムの置かれたメモリから取り出し、前記プログラムを実行し、保守用端末２０内の各部を制御する。
【００２４】
送受信部２０ａはエレベータ１の保守機能実行部３の送受信部３ｂと無線通信２１で接続される。制御部２０ｂは、送受信部２０ａ、操作部２０ｃ、エレベータ制御開始要求指令部２０ｄ、カメラ２０ｅ、認証用コード変換部２０ｆ、認証用コード送信指令部２０ｇの動作を制御する。操作部２０ｃは、保守用端末２０に設けられた図示しない液晶ディスプレイ上のタッチパネル操作用の釦、あるいはソフトキーボードであり、保守用端末２０に予めインストールされるアプリケーションによって操作機能が実現される。
【００２５】
エレベータ制御開始要求指令部２０ｄは、エレベータ１に保守運転をさせるためのエレベータ制御開始指令を発行する。このエレベータ制御開始指令は、点検を行う保守員による操作部２０ｃの操作によって実行される。発行されたエレベータ制御開始指令は、送受信部２０ａを介して保守機能実行部３の送受信部３ｂに送信される。
【００２６】
カメラ２０ｅは、エレベータ１の表示部４の液晶画面４ｂに表示される２次元バーコード４ｃ等のコード化された表示情報を撮影するためのもので、撮影後の表示情報は認証用コード変換部２０ｆに送信される。認証用コード変換部２０ｆは、カメラ２０ｅから受け取った表示情報を認証用コードに変換する。この変換は、保守機能実行部３の認証コード変換部３ｆで行われる変換処理を逆に行う処理で、変換後のデータは認証用コード送信指令部２０ｇに送信される。
【００２７】
これを受けた認証用コード送信指令部２０ｇは、認証用コード送信指令を、送受信部２０ａを介して保守機能実行部３の送受信部３ｂに送信する。認証用コード送信指令とは、先に保守機能実行部３へ送信済のエレベータ制御開始要求指令に基づいてエレベータ制御を開始するために送信する指令であり、認証用コード変換部２０ｆが変換した認証用コードを付与して送信される。この指令の送信処理は、後述する図３のフローチャートのステップＳＡ２→ＳＢ１→ＳＢ２→ＳＢ３→ＳＢ４→ＳＡ３→ＳＡ４→ＳＡ５の処理に対応する。
【００２８】
図２は、エレベータホールに設置された表示部４を示す図である。表示部４は、エレベータ１のエレベータホールに設置されており、乗客がいる階床に乗りかごを呼び戻すのと同時に乗客がこれから向かう行き先階の方向（上階／下階）を示すためのボタン４ａと、乗客へ乗りかごの現在の運転階と運転方向（上昇／下降）などの情報を示す液晶画面４ｂとで構成される。図２は、乗客がこれから向かう行き先階の方向が上階のみ、すなわち最下階に設置される表示部４の表示例である。
【００２９】
図３は、保守機能実行部３及び保守用端末２０によるエレベータ１の運転制御手順を示すフローチャート、図４は、図３のフローチャートに組み込まれ、センタ装置３０から当日のスケジュールを取得し、保守機能実行部３で保守運転の実行可否を判定する手順を示すブローチャートである。図３及び図４においては、保守機能実行部３の処理手順と、センタ装置３０の処理手順とを対応させて示している。
【００３０】
図３に示すように、保守用端末２０は保守員による任意の保守運転の実行操作の開始を待ち受けており（ステップＳＡ１）、保守員による任意の保守運転の実行操作が行われるまで、操作部２０ｃの実行確認を繰り返している（ステップＳＡ１：ＮＯ）。他方、保守機能実行部３は、保守用端末２０からエレベータ制御開始要求指令が送信されるのを待っている。すなわち、保守用端末２０からの前記指令の受信動作を受信があるまで繰り返している（ステップＳＢ１：ＮＯ）。
【００３１】
この状態で、保守員が操作部２０ｃを操作すると、その操作により任意の保守運転が開始される。保守運転が開始されると、保守用端末２０のエレベータ制御開始要求指令部２０ｄは、送受信部２０ａからエレベータ１の保守機能実行部３に対するエレベータ制御開始要求指令を保守機能実行部３の送受信部３ｂに送信する（ステップＳＡ２）。
【００３２】
このとき、保守機能実行部３では、保守用端末２０からのエレベータ制御要求指令の受信を待ち受けている(ステップＳＢ１ )。そして、保守用端末２０からエレベータ制御要求指令信号を送受信部３ｂが受信するまで、保守用端末２０からの受信動作を繰り返している(ステップＳＢ１：ＮＯ)。そこで、エレベータ制御要求指令信号を送受信部３ｂが受信すると（ステップＳＢ１：ＹＥＳ）、認証コード生成部３ｅが乱数を生成し、記憶部３ｃにこの乱数を一時的に格納する(ステップＳＢ２)。
【００３３】
認証コード変換部３ｆは乱数が格納されると、生成された乱数を記憶部３ｃから取得し、２次元バーコードに変換する(ステップＳＢ３)。この変換処理は保守機能実行部３に予め搭載された専用アプリケーションにより行われる。変換された２次元バーコードは表示指令部３ｇへ送られ、表示部４の液晶画面４ｂに表示される(ステップＳＢ４)。
【００３４】
一方、この表示を確認した保守員は、保守用端末２０のカメラ（撮影装置）２０ｅにより液晶画面４ｂを撮影する（ステップＳＡ３）。次に、撮影されたカメラ画像は、認証用コード変換部２０ｆで認証用コードに変換される(ステップＳＡ４)。この変換処理は、本実施形態では、保守用端末２０に予め搭載された専用アプリケーションにより行われる。変換が完了すると、認証用コード送信指令部２０ｇが送受信部２０ａを介して、保守機能実行部３に認証用コード送信指令を送信する(ステップＳＡ５)。
【００３５】
一方、保守機能実行部３では、保守用端末２０からの認証用コード送信指令の受信を待ち受けており(ステップＳＢ５)、保守用端末２０から認証用コード送信指令信号を送受信部３ｂが受信するまで、保守用端末２０からの受信動作を規定時間まで繰り返している（ステップＳＢ５：ＮＯ、ステップＳＢ６：ＮＯ）。もし、認証用コード送信指令信号を送受信部３ｂが規定時間以内に受信できなかった場合には（ステップＳＢ６：ＹＥＳ）、タイムアウトとして処理を終了する。
【００３６】
これに対し、認証用コード送信指令信号を送受信部３ｂが受信すると（ステップＳＢ５：ＹＥＳ）、認証コード比較判定部３ｈが、記憶部３ｃに格納済の乱数（認証コード）と、認証用コード送信指令に付与された認証コードとを比較する（ステップＳＢ７）。この比較の結果、２つのコードが一致していると判定された場合（ステップＳＢ７：ＹＥＳ）、図４のＡ１に移行し、ステップＳＣ１の処理を実行する。
【００３７】
すなわち、ステップＳＢ７で受信した認証用コードと生成したコードが一致した場合、今度はエレベータの保守スケジュール若しくは作業スケジュールを確認し、その結果に応じて保守運転の可否を判断する。これは、保守員とは異なる第３者、特に悪意の第３者からのアクセスあるいは保守運転を防止するために行われるものである。セキュリティの向上を目的とする処理で、保守機能実行部３は、今度はセンタ装置３０と通信を行いながらエレベータの保守スケジュールを確認する。
【００３８】
ステップＳＢ７でＹＥＳの場合、保守機能実行部３のスケジュール取得要求指令部３ｊは、センタ装置３０の送受信部３０ａに対してスケジュール取得要求指令信号を送信する（ステップＳＣ１）。一方、センタ装置３０は、保守機能実行部３からのスケジュール取得要求指令の受信を待ち受けており(ステップＳＤ１)、保守機能実行部３からスケジュール取得要求指令信号を送受信部３０ａが受信するまで、保守機能実行部３からの受信動作を繰り返している（ステップＳＤ１：ＮＯ）。この待ち受け状態で、送受信部３０ａがスケジュール取得要求指令信号を受信すると（ステップＳＤ１：ＹＥＳ）、スケジュール送信指令部３０ｂがスケジュール取得要求指令に付与されるエレベータ１を特定するための製造番号に基づいて、記憶部３０ｃに予め格納される製造番号に関連付けられた作業スケジュールを抽出し、送受信部３０ａを介して保守機能実行部３へ送信する(ステップＳＤ２)。
【００３９】
一方、保守機能実行部３では、センタ装置３０からの作業スケジュールの受信を待ち受けており（ＳＣ２）、センタ装置３０から当日のスケジュールをスケジュール取得要求指令部３ｊが受信するまで、センタ装置３０からの受信動作を規定時間まで繰り返している（ステップＳＣ２：ＮＯ、ステップＳＣ３：ＮＯ）。そして、当日の作業スケジュールをスケジュール取得要求指令部３が規定時間以内に受信できなかった場合（ステップＳＣ３：ＹＥＳ）、タイムアウトとして処理を終了する。
【００４０】
他方、スケジュール取得要求指令部３ｊが作業スケジュールを受信すると（ステップＳＣ２：ＹＥＳ）、機能実行可否判定部３ｋは製造番号に関連付けられた作業スケジュールのうち、当日の作業スケジュールに点検が予定されているか否かを確認する(ステップＳＣ４)。
【００４１】
この確認の結果、当日のスケジュールに点検が予定されていると判定された場合、機能実行可否判定部３ｋは、全ての保守運転の実行を許可して（ステップＳＣ５）、この処理を終了し、Ａ２から図３の手順に抜ける。その結果、エレベータ制御指令部３ｉは、制御部３ａを介してエレベータ制御部２に保守運転用のエレベータ制御信号を送信し、エレベータ１を保守運転させることができる。
【００４２】
また、ステップＳＣ４の確認の結果、当日の作業スケジュールに点検が予定されていないと判定された場合、全ての保守運転の実行を不許可とし（ステップＳＣ６）、この処理を終了し、Ａ２から図３の手順に抜ける。その結果、エレベータ制御指令部３ｉは、エレベータ制御部２に保守運転用のエレベータ制御信号を送信しない。
【００４３】
他方、前記ステップＳＢ７での比較の結果、２つのコードが一致しないと判定された場合（ステップＳＢ７：ＮＯ）、エレベータ制御指令部３ｉは、全ての保守運転の実行を不許可とし、エレベータ制御部２に対する保守運転用のエレベータ制御信号は送信せずに（ステップＳＢ９）、この処理を終了する。
【００４４】
本実施形態では、表示部４がエレベータホールに設置されているので、保守運転させる場合には、保守員は必ずエレベータホールにいる。そのため、障害が発生するおそれのある保守運転がなく、全ての保守運転が行われる。しかし、エレベータ１の乗りかご内にも表示部４が設置され、この表示部４を使用して保守運転を行う場合もある。この場合には、保守員がかご内に乗って保守運転を行うことから、保守運転の種類が一部制限される。すなわち、かごの荷重に関わる計測、例えば、エレベータの秤装置の評価に関する保守運転は、保守員がかご内に乗っているので、乗りかごの重量に保守員の体重が加算され、計測精度が落ちる。そのため、乗りかご内の表示部４を使用して保守運転を行う場合には、かごの荷重に関わる計測は保守運転から除外される。すなわち、全ての保守運転が行われる訳ではない。
【００４５】
なお、表示部４がかご上の制御器の制御基板上に設ける場合もあり得る。このような場合には、かご上から保守用端末２０を使用して保守運転を行わせることも可能である。しかし、この場合も、かご上に保守員が乗っていることで実行できない保守運転があり、このような実行不能な保守運転は除外される。いずれにしても、本実施形態では、表示部４はエレベータホールに設置され、保守員はエレベータホールから保守運転を行わせることを想定している。
【００４６】
また、本実施形態では、ステップＳＢ６及びステップＳＣ３において、規定時間が過ぎたか否かを判定し、いずれも規定時間内に受信できない場合は、タイムアウトとして処理を終えている。一方、保守用端末２０と保守機能実行部３との間で送受信できなくなる場合もある。すなわち、保守用端末２０と保守機能実行部３との距離が電波の届く距離より大きくなると、保守用端末２０と保守機能実行部３との間の送受信が不能となる。このような場合には、タイムアウトの場合と同様にその時点で図３及び図４に示した処理を終了し、保守運転が行われないようにする。これは、上記の状態は、保守員が表示部４からある距離（電波が届かない距離）以上離れたことを意味し、この状態では、保守員の安全性を保証することができないためである。
【００４７】
このように本実施形態に係るエレベータシステムでは、エレベータ１は、保守機能実行部３の認証コード生成部３ｅが生成する乱数を、認証コード変換部３ｆが２次元バーコードなどの表示コードに変換し、表示指令部３ｇの指令により表示部４の液晶画面４ｂに２次元バーコードを表示させる構成とした。一方、保守用端末２０は、カメラ２０ｅにより、表示部４の液晶画面４ｂに表示された２次元バーコード４ｃを撮影した後、認証用コード変換部２０ｆが再度乱数に戻す変換を行った上で、保守機能実行部３へ送信する構成とした。さらに、保守機能実行部３は、認証コード生成部３ｅが生成した乱数と、保守用端末２０から受信した乱数を比較し、一致する場合のみエレベータ１の保守運転を許可するものとした。
【００４８】
この結果、エレベータ１の保守員は、保守用端末２０をエレベータホールに設置される表示部４の前でのみ作業が可能となり、それ以外の場所（例えば、かご上や昇降路底部）では、エレベータ１の保守運転を行うことができない。
【００４９】
また必要に応じて、センタ装置３０の記憶部３０ｃから作業スケジュール情報を保守機能実行部３が取得し、当日のスケジュールに点検が予定されている場合のみ全ての保守運転の実行を許可し、予定されていない場合は全ての保守運転を不許可とした。
【００５０】
この結果、エレベータ１の保守員とは別の保守員（別の保守会社に勤務する者）による、エレベータ１の保守運転を防止することができる。
【００５１】
なお、表示部４の液晶画面４ｂに表示する２次元バーコード４ｃは、本発明を実現するための１つの手段であり、乱数を数字のまま液晶画面４ｂに表示すること、あるいは２次元バーコード４ｃと同様の特性、例えば、数字をユニークな絵画情報に変換し、当該絵画情報を逆変換して数字に変換するなどの機能を持ち合わせたものであれば、その他の手段を導入してもよいことはいうまでもない。
【００５２】
さらに、本実施形態では、認証コードと認証用コードの一致不一致を判定して、保守運転の可否を決定しているが、表示部４の液晶画面４ｂに表示させる情報を時間帯毎に変化させ、当日の作業スケジュールの設定時間と照合させ、保守当日の作業スケジュールの時間帯と作業を行う時間帯が一致したときに、保守用端末２０と保守機能実行部３間の通信を可能に設定することもできる。このように設定すると、保守員の安全性をより向上させることができる。
【００５３】
以上のように、本実施形態によれば、次のような効果を奏する。なお、以下の説明では、本実施形態の各部と特許請求の範囲における各構成要素とを対応させ、両者の表記が異なる場合には、後者をかっこ書きで示す。
【００５４】
（１）  本実施形態に係るエレベータシステム１００は、カメラ（撮影手段）２０ｅを搭載した保守用端末２０と、乗りかごの運転を制御するエレベータ制御部２、エレベータ利用者へ予め設定された情報を表示する表示部４及び予め設定された条件が成立したときに前記エレベータ制御部２に保守運転を実行させる、前記保守用端末２０と送受信部（無線通信手段）３ｂ、２０ａを介して通信可能に接続された保守機能実行部３を含むエレベータ１と、を備えたエレベータシステム１００であって、前記保守機能実行部３は、当該保守機能実行部３で生成された認証コードを予め設定された２次元バーコード４ｃ（表示情報）に変換して前記表示部４に表示させ、前記カメラ（撮影手段）２０ｅによって撮影された、前記表示部４に表示された２次元バーコード４ｃ（表示情報）が示す認証用コードを、前記送受信部（無線通信手段）３ｂ、２０ａを介して受信し、受信した認証用コードと前記生成された認証コードとの異同を判定し、同一であるとき保守運転を可能とする構成になっている。
【００５５】
このように構成することにより、保守用端末２０を操作する保守員は、必ず前記表示部４を撮影可能な箇所に位置し、その位置は、保守運転時における乗りかごの移動経路から離れた位置であることから、エレベータの保守運転に無線通信の端末である保守用端末を使用する保守員の安全性を確保することができる。
【００５６】
（２）  前記（１）における前記保守用端末２０は、前記カメラ（撮影手段）２０ｅによって撮影された前記２次元バーコード（表示情報）４ｃを前記認証用コードに変換する認証用コード変換部２０ｆを備え、前記保守機能実行部３は、前記表示部４に表示させるための認証コードを生成する認証コード生成部３ｅと、前記認証コード生成部３ｅで生成された認証コードを予め設定された形式の２次元バーコード（表示情報）４ｃに変換する認証コード変換部３ｆと、前記認証コード変換部３ｆで変換された前記２次元バーコード（表示情報）４ｃを前記表示部４に表示させる表示指令部３ｇと、前記保守用端末２０側から受信し、前記カメラ（撮影手段）２０ｅによって撮影された前記２次元バーコード（表示情報）４ｃから前記認証用コード変換部２０ｆによって変換された認証用コードと、前記認証コードとを比較して両者の異同を判定する認証コード比較判定部３ｈと、前記認証コード比較判定部３ｈで前記認証用コードと前記認証コードが同一であると判定されたとき前記保守運転の実行を可能とし、異なると判定されたとき前記保守運転の実行を不可とするエレベータ制御指令部３ｉと、を備えているので、前記認証用コード変換部２０ｆ、前記認証コード生成部３ｅ、前記認証コード変換部３ｆ、前記表示指令部３ｇ、前記認証コード比較判定部３ｈ及びエレベータ制御指令部３ｉの各機能部の作用により、前記（１）の効果を確実に奏することができる。
【００５７】
（３）  前記（２）に係るエレベータシステムにおいて、前記保守機能実行部３と広域ネットワーク４０を介して通信可能に接続されたセンタ装置３０をさらに備え、前記センタ装置３０は、保守に関する作業スケジュール情報を記憶する記憶部３０ｃ、及び前記作業スケジュール情報を前記保守機能実行部３に送信させるスケジュール送信指令部３０ｂを含み、前記保守機能実行部３は、前記認証コード比較判定部３ｈで前記認証用コードと前記認証コードが一致したと判定したとき、前記センタ装置３０に前記作業スケジュール情報を取得するためのスケジュール取得要求指令を出力するスケジュール取得要求指令部３ｊをさらに含むので、保守運転の可否を判定する場合、センタ装置３０に予め記憶されている作業スケジュールと対応を確認することが可能となり、さらに安全性を考慮した保守運転の実行の可否判定を行うことができる。
【００５８】
（４）  前記（３）に係るエレベータシステムにおいて、前記センタ装置３０は、前記スケジュール取得要求指令を受信したとき、前記保守機能実行部３に前記作業スケジュール情報を送信し、当該保守機能実行部３の機能実行可否判定部３ｋは受信した前記作業スケジュール情報に基づいて当日の作業スケジュール情報に保守点検が予定されているか否かを判定し、保守機能実行部３は保守点検が予定されている場合、保守運転の実行をさらに許可し、予定されていない場合、保守運転の実行をさらに不許可にするので、保守点検作業の予定に入っていない悪意の第三者による保守運転を防止することが可能となる。
【００５９】
（５）  本実施形態に係るエレベータの保守運転方法では、カメラ（撮影手段）２０ｅを搭載した保守用端末２０と、乗りかごの運転を制御するエレベータ制御部２、エレベータ利用者へ予め設定された情報を表示する表示部４及び予め設定された条件が成立したときに前記エレベータ制御部２に保守運転を実行させる、前記保守用端末２０と送受信部（無線通信手段）３ｂ、２０ａを介して通信可能に接続された保守機能実行部３を含むエレベータ１と、を備えたエレベータシステム１００においてエレベータの保守運転を行う際、前記保守用端末２０からエレベータ制御開始指令要求指令を前記保守機能実行部３に送信し、前記保守機能実行部３は、前記エレベータ制御開始指令要求指令を受信したとき、認証コードを生成し、当該生成された認証コードを予め設定された２次元バーコード（表示情報）４ｃに変換して前記表示部４に表示させ、前記保守用端末２０の前記カメラ（撮影手段）２０ｅによって前記表示部４に表示された２次元バーコード（表示情報）４ｃを撮影し、当該保守用端末２０で撮影した前記表示情報を認証用コードに変換し、前記変換された認証用コードを前記保守機能実行部３に送信し、当該保守機能実行部３で前記生成された認証コードと前記認証用コードとを比較し、両者が一致したとき、前記エレベータ制御部２に前記エレベータの保守運転を可能とするので、保守用端末２０を操作する保守員は、必ず前記表示部４を撮影可能な箇所に位置し、その位置は、保守運転時における乗りかごの移動経路から離れた位置であることから、（１）の場合と同様にエレベータの保守運転に無線通信の端末である保守用端末を使用する保守員の安全性を確保することができる。
【００６０】
（６）  前記（５）に係るエレベータの保守運転方法において、前記エレベータシステム１００は保守に関する作業スケジュール情報を記憶部３０ｃに記憶したセンタ装置３０をさらに備え、前記保守運転が可能となったとき、前記保守機能実行部３から前記センタ装置３０にスケジュール取得要求指令を送信し、前記スケジュール取得要求指令を受信した前記センタ装置３０は、前記記憶した作業スケジュール情報を前記保守機能実行部３に送信し、前記保守機能実行部３で前記受信した作業スケジュール情報に当日の保守点検の予定がある場合、前記保守運転の実行を許可し、予定がない場合、不許可にするので、保守点検作業の予定に入っていない悪意の第三者による保守運転を防止することが可能となる。
【００６１】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００６２】
１  エレベータ
２  エレベータ制御部
３  保守機能実行部
３ｂ  送受信部
３ｅ  認証コード生成部
３ｆ  認証コード変換部
３ｇ  表示指令部
３ｈ  認証コード比較判定部
３ｉ  エレベータ制御指令部
３ｊ  スケジュール取得要求指令部
３ｋ  機能実行可否判定部  
４  表示部
４ｃ  ２次元バーコード
２０  保守用端末
２０ａ  送受信部
２０ｅ  カメラ
２０ｆ  認証用コード変換部
２０ｇ  認証用コード送信指令部
２１  無線通信
３０  センタ装置
３０ａ  送受信部
３０ｂ  スケジュール送信指令部
３０ｃ  記憶部
４０  広域ネットワーク
１００  エレベータシステム
【図１】
0006496235.tif 000002
【図２】
0006496235.tif 000003
【図３】
0006496235.tif 000004
【図４】
0006496235.tif 000005